(57)【特許請求の範囲】
【請求項１】
鍵盤部と、
譜面台と、
内部に、前記鍵盤部が設けられている楽器ケースと、
演奏者から前記鍵盤部が反射して映って見える位置で且つ前記譜面台に対して前記鍵盤部よりも近い位置に配置されている鏡と、
を備え、
前記鏡は、第１のヒンジ部によって前記楽器ケースの前後方向に起立横倒可能に前記楽器ケースに取り付けられていることを特徴とする鍵盤楽器。
【請求項２】
請求項１に記載の鍵盤楽器において、
前記鏡は、鏡面部を含む鏡面板を備え、
前記鏡面板は、前記楽器ケースの天板に取り付けられていることを特徴とする鍵盤楽器。
【請求項３】
請求項２に記載の鍵盤楽器において、前記鏡面板の下部に位置する前記楽器ケースの上部には、前記鏡面板が横倒された際に当該鏡面板によって覆われる放音孔が設けられていることを特徴とする鍵盤楽器。
【請求項４】
請求項３に記載の鍵盤楽器において、前記鏡面板には、前記放音孔を塞ぐ放音蓋が第２のヒンジ部によって回転可能に取り付けられていることを特徴とする鍵盤楽器。
【請求項５】
請求項４に記載の鍵盤楽器において、前記鏡面板の下部には前記放音蓋を収納する切欠き凹部が設けられていることを特徴とする鍵盤楽器。
【請求項６】
請求項２〜請求項５のいずれかに記載の鍵盤楽器において、前記譜面台は、起立した前記鏡面板の上部とほぼ同じ高さに設けられている譜面受け部を含むことを特徴とする鍵盤楽器。
【発明の詳細な説明】
【技術分野】
【０００１】
この発明は、ピアノやオルガンなどの鍵盤楽器に関する。
【背景技術】
【０００２】
例えば、ピアノなどの鍵盤楽器においては、特許文献１に記載されているように、楽器ケース内に鍵盤部を設け、この鍵盤部を開閉可能に覆う鍵盤蓋を楽器ケースに回転可能に設け、この鍵盤蓋を回転させて楽器ケースの上前板に立て掛けて鍵盤部を開放させ、この状態で鍵盤部を押鍵操作して演奏するように構成されたものが知られている。
【先行技術文献】
【特許文献】
【０００３】
【特許文献１】特開２００５−２８３９５５号公報
【０００４】
この場合、鍵盤蓋には、譜面を立て掛けるための譜面台が設けられており、この譜面台に立て掛けられた譜面の上方に位置する楽器ケースの上部には、天板が設けられている。この天板には、開閉板が上下方向に回転可能に設けられており、この開閉板の下面には、鏡面部が設けられている。
【０００５】
このような鍵盤楽器は、鍵盤部を押鍵操作して演奏する際に、鍵盤蓋を楽器ケースの上前板に立て掛け、この鍵盤蓋の譜面台に譜面を立て掛け、この状態で天板の開閉板を回転させて楽器ケースの上部を開放させると、この開閉板に設けられた鏡面部に鍵盤部が映り、この開閉板の鏡面部に映った鍵盤部を見ながらでも、演奏することができるように構成されている。
【発明の概要】
【発明が解決しようとする課題】
【０００６】
しかしながら、このような鍵盤楽器では、譜面台の上方に開閉板の鏡面部が配置されているため、開閉板の鏡面部に鍵盤部が映るほか、演奏者の目の高さによっては開閉板の鏡面部に譜面台に立て掛けられた譜面も映ってしまい、開閉板の鏡面部に映った鍵盤部が見ずらくなるという問題がある。
【０００７】
また、このような鍵盤楽器では、譜面台が開閉板の下側に位置しているため、譜面の高さが低いと、開閉板の鏡面部に映った鍵盤部と譜面とが離れてしまい、演奏者の視線の移動角度が大きくなるため、初心者が演奏する際に、その演奏が中断されるという問題がある。
【０００８】
この発明が解決しようとする課題は、譜面台および譜面の影響を受けずに、鍵盤部を直接見なくても、鍵盤部を良好に視認することができる鍵盤楽器を提供することである。
【課題を解決するための手段】
【０００９】
この発明の一実施例は、鍵盤部と、譜面台と、内部に、前記鍵盤部が設けられている楽器ケースと、演奏者から前記鍵盤部が反射して映って見える位置で且つ前記譜面台に対して前記鍵盤部よりも近い位置に配置されている鏡と、を備え、前記鏡は、第１のヒンジ部によって前記楽器ケースの前後方向に起立横倒可能に前記楽器ケースに取り付けられていることを特徴とする鍵盤楽器である。
【発明の効果】
【００１０】
この発明によれば、鏡が譜面台および譜面の影響を受けることがなく、鏡によって鍵盤部を演奏者から良好に見るように映すことができるので、鍵盤部を直接見なくても、鍵盤部を良好に視認することができる。
【図面の簡単な説明】
【００１１】
【図１】この発明を電子鍵盤楽器に適用した第１実施形態を示した正面図である。
【図２】図１に示された電子鍵盤楽器のＡ−Ａ矢視における拡大断面図である。
【図３】図２に示された電子鍵盤楽器における鏡面板がヒンジ部によって天板に取り付けられた箇所の要部を示した拡大断面図である。
【図４】この発明を電子鍵盤楽器に適用した第２実施形態を示した拡大断面図である。
【図５】図４に示された電子鍵盤楽器の鏡面板に対して放音蓋を回転させた状態を示した要部の拡大断面図である。
【図６】図４に示された電子鍵盤楽器において、鍵盤部を鍵盤蓋で覆い、かつ放音孔を鏡面板で塞いだ状態を示した平面図である。
【発明を実施するための形態】
【００１２】
（第１実施形態）
以下、図１〜図３を参照して、この発明を電子鍵盤楽器に適用した第１実施形態について説明する。
この電子鍵盤楽器は、図１および図２に示すように、楽器ケース１を備えている。この楽器ケース１は、前側上部（図２では左側上部）が開放された横長のほぼ箱形状に形成されている。
【００１３】
すなわち、この楽器ケース１は、図１および図２に示すように、底板２と、この底板２の前端部（図２では左端部）に起立して設けられた前板３と、底板２の後端部（図２では右端部）に起立して設けられた後板４と、底板２の左右両側部（図２では紙面の表裏面の両側部）に起立して設けられた一対の側板５と、この一対の側板５の後側上部および後板４の上部に配置された天板６と、を備えている。
【００１４】
この場合、前板３は、図１および図２に示すように、後板４の高さのほぼ半分程度の高さで形成されている。また、一対の側板５は、その前端部が前板３よりも少し高く形成され、前後方向（図２では左右方向）におけるほぼ中間部から後部側が後板４と同じ高さで形成され、前端部から中間部に向けて後部上がりに傾斜する傾斜部に形成されている。これにより、楽器ケース１は、一対の側板５の各傾斜部に対応する前部側が上方に開放された横長のほぼ箱形状に形成されている。
【００１５】
この楽器ケース１内には、図２に示すように、鍵盤部７が設けられている。この鍵盤部７は、楽器ケース１の底板２上に配置された鍵盤シャーシ８と、この鍵盤シャーシ８上に上下方向に回転可能な状態で並列に配列された複数の鍵９と、を備えている。この鍵盤部７は、複数の鍵９が楽器ケース１の前部側から上方に露呈した状態で、押鍵操作されるように構成されている。
【００１６】
また、楽器ケース１内には、図２に示すように、スピーカ１０が鍵盤部７の後方に位置した状態で下向きに配置されている。このスピーカ１０は、鍵盤部７の各鍵９が押鍵操作された際に、その各鍵９に応じた音高の楽音を発生するように構成されている。この場合、楽器ケース１の底板２には、スピーカ１０の音を楽器ケース１の下側に向けて放音する放音孔２ａが設けられている。また、この楽器ケース１内には、コンソールパネル１２が鍵盤部７の後部に位置する上側から天板６の前部の下側に向けて傾斜して設けられている。
【００１７】
一方、この楽器ケース１内には、図２に示すように、鍵盤部７の上側を覆う鍵盤蓋１３が蓋ガイド部１４によって開閉可能に設けられている。この鍵盤蓋１３は、前蓋１５と後蓋１６とを有し、これら前蓋１５と後蓋１６とが蝶番１７によって折り曲げ可能に連結された構成になっている。これにより、鍵盤蓋１３は、鍵盤部７を上方に開放する際に、前蓋１５と後蓋１６とが蝶番１７で折れ曲がって楽器ケース１内に収納されるように構成されている。
【００１８】
この場合、前蓋１５の前端部には、図２に示すように、一対の側板５の各内面に向けてそれぞれ突出するガイド軸１５ａが支持脚１５ｂを介して設けられている。また、後蓋１６の前端部には、一対の側板５の各内面に向けてそれぞれ突出するガイド軸１６ａが支持脚１６ｂを介して設けられている。この後蓋１６の後端部には、後述する軸取付板１６ｃが取り付けられている。
【００１９】
蓋ガイド部１４は、図２に示すように、鍵盤蓋１３が鍵盤部７の上側を覆った際に前蓋１５と後蓋１６とをほぼ平板状に配置し、かつ鍵盤蓋１３が鍵盤部７を上側に開放した際に前蓋１５と後蓋１６とを蝶番１７で折り曲げ、この折り曲げられた後蓋１６を鍵盤部７の後部とスピーカ１０との間に配置させるように構成されている。
【００２０】
すなわち、この蓋ガイド部１４は、図２に示すように、ガイドレール部１８とガイド部材１９とを有している。ガイドレール部１８は、一対の側板５の内面に前板３の上側から、コンソールパネル１２の上側を経て、天板６の前後方向におけるほぼ中間部の下側に対応する箇所に向けて斜め上方に傾斜して設けられている。このガイドレール部１８は、前蓋１５のガイド軸１５ａと後蓋１６のガイド軸１６ａとをそれぞれ前後方向にガイドするように構成されている。
【００２１】
これにより、ガイドレール部１８は、図２に示すように、前蓋１５と後蓋１６とが鍵盤部７の上側を覆った際に、前蓋１５と後蓋１６とを前下りに傾斜させた状態で平板状に配置するように構成されている。この場合、ガイドレール部１８のほぼ中間部には、前蓋１５と後蓋１６とが鍵盤部７の上側を覆った際に、後蓋１６のガイド軸１６ａを位置規制する凹部１８ａが設けられている。
【００２２】
ガイド部材１９は、図２に示すように、鍵盤部７の後端部の上部付近に位置する箇所の側板５の内面に設けられた支持軸２０と、この支持軸２０に回転自在に取り付けられたアーム部２１と、このアーム部２１の端部と後蓋１６の軸取付板１６ｃとを回転可能に連結する連結軸２２と、を備えている。この場合、アーム部２１の中間部にはガイド軸２３が設けられており、このガイド軸２３にはピニオンギア２４が回転可能に取り付けられている。
【００２３】
すなわち、アーム部２１のガイド軸２３は、図２に示すように、一対の側板５の内面に設けられたガイド板２５のガイド溝２６に沿って上下方向に円弧を描きながらガイドされるように構成されている。このガイド溝２６は、支持軸２０を中心とする半円弧状をなしてガイド板２５に設けられている。
【００２４】
また、ガイド軸２３のピニオンギア２４は、図２に示すように、ガイド板２５のガイド歯車２７に噛み合って回転しながら、上下方向に円弧を描いて移動するように構成されている。このガイド歯車２７も、ガイド軸２３と同様、支持軸２０を中心とする半円弧状をなしてガイド板２５に設けられている。
【００２５】
これにより、蓋ガイド部１４は、鍵盤蓋１３の前蓋１５と後蓋１６とが鍵盤部７の上側を覆って閉じた際に、前蓋１５のガイド軸１５ａをガイドレール部１８の前端部に位置させ、後蓋１６のガイド軸１６ａをガイドレール部１８の凹部１８ａに位置させ、かつ後蓋１６の後端部に位置する連結軸２２をガイド部材１９のアーム部２１によってガイドレール部１８とほぼ同じ高さに位置させることにより、前蓋１５と後蓋１６とを前下がりに傾斜させた状態で平板状に配置するように構成されている。
【００２６】
この場合、蓋ガイド部１４は、図２に示すように、アーム部２１が支持軸２０を中心に反時計回りに回転して起立し、これと同時にガイド軸２３がガイド板２５のガイド溝２６に沿って下側から上側に向けて移動すると共に、ピニオンギア２４がガイド板２５のガイド歯車２７に噛み合って回転しながら下側から上側に向けて移動することにより、後蓋１６の後端部の連結軸２２を押し上げるように構成されている。
【００２７】
また、この蓋ガイド部１４は、図２に示すように、鍵盤蓋１３が開いて鍵盤部７を上側に開放した際に、前蓋１５のガイド軸１５ａをコンソールパネル１２の上方、つまり天板６の前端下側に位置するガイドレール部１８の箇所に位置させ、後蓋１６のガイド軸１６ａをガイドレール部１８の後端部に位置させることにより、前板１５を天板６の下側に配置させ、かつ前蓋１５に対して後蓋１６を蝶番１７で折り曲げて、後蓋１６の後端部に位置する連結軸２２をガイド部材１９のアーム部２１によって引き下げることにより、後蓋１６を鍵盤部７の後部とスピーカ１０との間に配置させるように構成されている。
【００２８】
この場合、蓋ガイド部１４は、図２に示すように、アーム部２１が支持軸２０を中心に時計回りに回転して垂下し、これと同時にガイド軸２３がガイド板２５のガイド溝２６に沿って上側から下側に向けて移動すると共に、ピニオンギア２４がガイド板２５のガイド歯車２７に噛み合って回転しながら上側から下側に向けて移動することにより、後蓋１６の後端部の連結軸２２を引き下げるように構成されている。
【００２９】
ところで、楽器ケース１の上部に位置する天板６上には、図１および図２に示すように、譜面台２８が取付部材３２によって取り付けられている。また、この譜面台２８の前側（図２では左側）に位置する天板６上には、鏡面板３０がヒンジ部３１によって取り付けられている。譜面台２８は、楽器ケース１の天板６上に後方に向けて傾いた状態で起立して設けられた譜面立て部２８ａと、この譜面立て部２８ａに設けられた譜面受け部２８ｂと、を備えている。
【００３０】
この場合、譜面受け部２８ｂは、図１および図２に示すように、鏡面板３０が傾いて起立した際に、その鏡面板３０の上部の高さとほぼ同じ高さに位置して設けられている。これにより、譜面台２８は、鏡面板３０の上部とほぼ同じ高さに位置する譜面受け部２８ｂ上に譜面２９を載せて譜面立て部２８ａに立て掛けた際に、譜面２９が鏡面板３０の上部よりも高い位置に配置され、これにより譜面２９が鏡面板３０によって遮られることなく、演奏者から見えるように構成されている。
【００３１】
一方、鏡面板３０は、図１〜図３に示すように、可動板３０ａと、この可動板３０ａの前面（図３では左側）に設けられた鏡面部３０ｂと、を備えている。この鏡面板３０は、可動板３０ａの下端部が鍵盤部７に接近する天板６の前端上部に複数のヒンジ部３１によって前後方向に起立横倒可能に取り付けられている。これにより、この鏡面板３０は、可動板３０ａが複数のヒンジ部３１を中心に回転して天板６上に前側に傾いた状態で起立した際に、鏡面部３０ｂに鍵盤部７が映り、この鏡面部３０ｂに映った鍵盤部７が演奏者から見えるように構成されている。
【００３２】
この場合、複数のヒンジ部３１は、図３に示すように、天板６に対して鏡面板３０を任意の角度に傾けた状態で保持するトルクヒンジであり、鍵盤部７の鍵配列方向における同一軸上の複数箇所に設けられている。すなわち、このヒンジ部３１は、鏡面板３０の可動板３０ａに固定された鏡面固定板３１ａと、天板６の上面に固定された天板固定部３１ｂと、鏡面固定部３１ａおよび天板固定部３１ｂに対して摩擦力やばね力などによって所定の負荷を付与した状態で、その両方を回転可能に連結する連結軸部３１ｃと、を有している。
【００３３】
このため、このヒンジ部３１は、図２および図３に示すように、連結軸部３１ｃによって鏡面固定部３１ａおよび天板固定部３１ｂに対して所定の負荷が付与されていることにより、天板６に対して鏡面板３０を任意の角度に傾けた状態で保持するように構成されている。
【００３４】
これにより、鏡面板３０は、図２および図３に示すように、天板６に対して起立横倒する際に、ヒンジ部３１によって任意の角度に傾いた状態で保持されるので、鏡面板３０の鏡面部３０ｂに鍵盤部７が映り、この映った鍵盤部７が演奏者から見やすい角度に傾けることにより、鏡面板３０の傾き角度が調整されるように構成されている。
【００３５】
次に、このような電子鍵盤楽器の作用について説明する。
この電子鍵盤楽器で演奏する場合には、まず、鍵盤蓋１３を楽器ケース１内に収納する。このときには、鍵盤蓋１３の前蓋１５の前端部を持ち上げて後方に押す。すると、前蓋１５が蓋ガイド部１４のガイドレール部１８にガイドされて楽器ケース１の後部側に向けて移動する。
【００３６】
これと同時に、後蓋１６が蝶番１７を中心に折れ曲がりながら、後蓋１６の後端部が蓋ガイド部１４のガイド部材１９にガイドされて鍵盤部７とスピーカ１０との間に配置される。これにより、鍵盤蓋１３が楽器ケース１内に収納され、鍵盤部７が楽器ケース１の前部上側に露呈する。このときには、鍵盤部７の後部上側に位置するコンソールパネル１２が楽器ケース１の前側に向けて露呈する。
【００３７】
そして、譜面台２８に譜面２９を立て掛け、鏡面板３０を回転させて所定の角度に傾ける。このときには、複数のヒンジ部３１を中心に鏡面板３０を回転させて鏡面板３０の傾き角度を調整する。すなわち、鏡面板３０の傾き角度を調整する際には、鏡面板３０の鏡面部３０ｂに鍵盤部７が映り、この映った鍵盤部７が演奏者から見やすい角度になるように、鏡面板３０を傾ける。このように鏡面板３０の傾き角度が調整された際には、複数のヒンジ部３１によって鏡面板３０がその調整された傾斜角度で保持される。
【００３８】
この状態で、演奏者が譜面２９を見ながら鍵盤部７の各鍵９を押鍵操作して演奏する際には、演奏者が鍵盤部７を直接見ずに、鏡面板３０の鏡面部３０ｂに映った鍵盤部７を見ながら演奏することができる。このときには、鏡面板３０が譜面２９の下側に接近して配置されているので、鏡面板３０に映った鍵盤部７と譜面２９とを演奏者が見る際に、演奏者の視線の角度範囲が小さくなり、演奏者の視線の動きを小さく抑えることができ、これにより良好に演奏することができる。
【００３９】
すなわち、演奏者が演奏中に鍵盤部７を直接見る必要がなく、譜面２９を見るときに、鏡面板３０の鏡面部３０ｂに映った鍵盤部７を見ることができるので、演奏者の視線の動きが小さく、鏡面板３０の鏡面部３０ｂに映った鍵盤部７と譜面２９とをほぼ同時に見ることができ、これにより初心者が演奏を中断せずに、良好に演奏することができる。
【００４０】
この場合には、鏡面板３０が譜面台２８の前側に配置されていても、譜面台２８の譜面受け部２８ｂが鏡面板３０の上部側に位置しているので、譜面台２８に立て掛けられた譜面２９が鏡面板３０の上側に配置される。このため、譜面２９が鏡面板３０に遮られることがないので、演奏者が譜面２９を良好に見ることができ、これによっても良好に演奏することができる。
【００４１】
このように、この電子鍵盤楽器によれば、鍵盤部７と、譜面台２８と、演奏者から鍵盤部７が反射して映って見える位置で且つ譜面台２８に対して鍵盤部７よりも近い位置に配置されている鏡面板３０と、を備えていることにより、鏡面板３０が譜面台２８および譜面２９の影響を受けることがなく、鏡面板３０によって鍵盤部７を演奏者から良好に見るように映すことができるので、鍵盤部７を直接見なくても、鍵盤部７を良好に視認することができる。
【００４２】
すなわち、この電子鍵盤楽器では、譜面台２８の前側に位置する楽器ケース１の上部に位置する天板６上に鏡面板３０が設けられているので、鏡面板３０が譜面台２８および譜面２９の影響を受けることがなく、鏡面板３０に鍵盤部７を演奏者から良好に見るように映すことができるので、鍵盤部７を直接見なくても、鍵盤部７を良好に視認することができ、これにより演奏者が鍵盤部７を正確に押鍵操作して良好に演奏することができると共に、初心者が演奏を中断せずに良好に演奏することができる。
【００４３】
この場合、鏡面板３０は、楽器ケース１の上部に位置する天板６上にヒンジ部３１によって上下方向に回転可能に取り付けられていることにより、天板６に対して鏡面板３０を任意の角度に傾けることができ、これにより鍵盤部７が演奏者から見るように鍵盤部７を鏡面板３０に簡単にかつ良好に映すことができる。この場合、ヒンジ部３１は、トルクヒンジであり、天板６に対して鏡面板３０を任意の角度に傾けた状態で保持することができるので、便利で使い勝手が良い。
【００４４】
すなわち、このヒンジ部３１は、鏡面板３０の可動板３０ａに固定された鏡面固定板３１ａと、天板６の上面に固定された天板固定部３１ｂと、鏡面固定部３１ａおよび天板固定部３１ｂに対して所定の負荷を付与した状態で、その両方を回転可能に連結する連結軸部３１ｃと、を有しているので、天板６に対して鏡面板３０を任意の角度に傾けた状態で確実にかつ良好に保持することができる。
【００４５】
また、この電子鍵盤楽器では、譜面台２８が、楽器ケース１の上部に位置する天板６上に、その後方に向けて傾いた状態で起立して設けられた譜面立て部２８ａと、この譜面立て部２８ａに設けられた譜面受け部２８ｂと、を備え、この譜面受け部２８ｂが鏡面板３０の傾いて起立した上部の高さとほぼ同じ高さに位置して設けられていることにより、譜面２９を譜面受け部２８ｂ上に載せて譜面立て部２８ａに立て掛けた際に、譜面２９が鏡面板３０に遮られることがなく、演奏者が譜面２９を確実にかつ良好に見ることができる。
【００４６】
さらに、この電子鍵盤楽器では、楽器ケース１に鍵盤部７を開閉可能に覆う鍵盤蓋１３が折り曲げ可能に収納される構成であることにより、演奏する際に鍵盤蓋１３を楽器ケース１内に収納することにより、鍵盤部７と鏡面板３０とを近付けることができると共に、鍵盤蓋１３によって鏡面板３０が影響を受けないようにすることができ、これにより鏡面板３０に鍵盤部７を確実にかつ良好に映すことができる。
【００４７】
この場合、鍵盤蓋１３は、前蓋１５と後蓋１６とを有し、前蓋１５と後蓋１６とが蝶番１７によって折り曲げ可能に連結され、鍵盤部７を上方に開放する際に、前蓋１５と後蓋１６とが蓋ガイド部１４によってガイドされながら蝶番１７で折れ曲がって楽器ケース１内に収納される構成であるから、鍵盤蓋１３の開閉操作が簡単で円滑にできると共に、鍵盤蓋１３を楽器ケース１内にコンパクトに収納することができ、これにより鍵盤蓋１３によって鏡面板３０が影響を受けないようにすることができる。
【００４８】
（第２実施形態）
次に、図４〜図６を参照して、この発明を電子鍵盤楽器に適用した第２実施形態について説明する。なお、図１〜図３に示された第１実施形態と同一部分には同一符号を付して説明する。
この電子鍵盤楽器は、図４〜図６に示すように、天板３５と鏡面板３６とが第１実施形態と異なる構成であり、これ以外は第１実施形態とほぼ同じ構成になっている。
【００４９】
この天板３５は、図４および図５に示すように、一対の側板５と後板４との内側上端部に設けられた下側天板３７と、この下側天板３７上に設けられた上側天板３８と、を備えている。下側天板３７は、その前後方向（図４では左右方向）の長さが一対の側板５の前後方向におけるほぼ中間部から後板４までの長さと同じ長さで、鍵盤部７の鍵配列方向（図４では紙面の表裏面方向）の長さが鍵盤部７の鍵配列方向における長さとほぼ同じ長さに形成されている。
【００５０】
また、上側天板３８は、図４および図５に示すように、その前後方向（図４では左右方向）の長さが下側天板３７の前後方向の長さよりも短い長さで、鍵盤部７の鍵配列方向の長さが下側天板３７の鍵配列方向の長さよりも少し長く形成されている。これにより、上側天板３８は、その後端部が後板４の上端部に配置され、鍵配列方向の両端部が一対の側板５の後部側（図４では右部側）における上端部に配置され、この状態で前端部が下側天板３７の前後方向におけるほぼ中間部附近に位置し、下側天板３７の前部側を上側に露呈させるように構成されている。
【００５１】
この上側天板３８の前端部（図４では左端部）上には、図４および図６に示すように、譜面台２８が取付部材３２によって後方に傾いた状態で取り付けられている。この譜面台２８は、第１実施形態と同様、楽器ケース１の天板６上にその後方に向けて傾いた状態で起立して設けられた譜面立て部２８ａと、この譜面立て部２８ａに設けられた譜面受け部２８ｂと、を備えている。この場合にも、譜面受け部２８ｂは、鏡面板３６が下側天板３７上に傾いて起立した際に、その鏡面板３６の上部とほぼ同じ高さに位置して設けられている。
【００５２】
また、上側天板３８の前側に位置して上側に露出する下側天板３７上には、図４および図５に示すように、鏡面板３６が複数の第１ヒンジ部３９によって上下方向に回転可能に取り付けられている。すなわち、この鏡面板３６は、その一端部である下端部が、譜面台２８の下端部附近に位置する下側天板３７上、つまり上側天板３８の前端部の近傍に位置する下側天板３７上に複数の第１ヒンジ部３９によって取り付けられている。
【００５３】
この鏡面板３６は、図４〜図６に示すように、その前後方向（図４では左右方向）の長さが上側天板３８の前端部から下側天板３７の前端部までの長さよりも長く形成され、鍵盤部７の鍵配列方向の長さが一対の側板５間の長さとほぼ同じ長さに形成されている。これにより、鏡面板３６は、複数の第１ヒンジ部３９を中心に回転して下側天板３７上に配置された際に、図４に２点鎖線で示すように、鏡面板３６の前端部が下側天板３７の前端部よりも前方に突出した状態で配置されるように構成されている。
【００５４】
また、この鏡面板３６は、図４および図５に示すように、可動板３６ａと、この可動板３６ａの前面（図５では下面）に設けられた鏡面部３６ｂと、を有し、可動板３６ａの前側に位置する下端部が複数の第１ヒンジ部３９によって下側天板３７上に回転可能に取り付けられるように構成されている。この場合、鏡面板３６の可動板３６ａにおける前側下部には、後述する放音蓋４０を収納する切欠き凹部３６ｃが設けられている。
【００５５】
この可動板３６ａは、図５に示すように、切欠き凹部３６ｃの前側に位置する下端部が、複数の第１ヒンジ部３９によって下側天板３７上に回転可能に取り付けられるように構成されている。これにより、鏡面板３６は、第１実施形態と同様、可動板３６ａが複数の第１ヒンジ部３９を中心に回転して下側天板３７上に傾いた状態で起立した際に、鏡面部３６ｂに鍵盤部７が映り、この鏡面部３６ｂに映った鍵盤部７が演奏者から見えるように構成されている。
【００５６】
この場合、鏡面板３６の切欠き凹部３６ｃには、図４および図５に示すように、放音蓋４０が複数の第２ヒンジ部４１によって回転可能に取り付けられている。この放音蓋４０は、上側天板３８の前側に位置して上側に露出する下側天板３７に設けられた複数の放音孔４２を開閉可能に塞ぐように構成されている。すなわち、この放音蓋４０は、鏡面板３６の可動板３６ａに設けられた切欠き凹部３６ｃ内に配置され、この状態で複数の第２ヒンジ部４１によって可動板３６ａに回転可能に取り付けるように構成されている。
【００５７】
この場合、鏡面板３６の可動板３６ａに設けられた切欠き凹部３６ｃは、図４および図５に示すように、その前後方向（図５では斜め上下方向）の長さが可動板３６ａの前後方向（図５では斜め上下方向）の長さの半分以下の長さで、鍵盤部７の鍵配列方向（図５では紙面の表面方向）の長さが鏡面板３６の鍵配列方向の長さよりも少し短い長さで形成されている。
【００５８】
このため、放音蓋４０は、図４および図５に示すように、その前後方向の長さが切欠き凹部３６ｃの前後方向の長さとほぼ同じ長さで、鍵配列方向の長さが鏡面板３６の鍵配列方向の長さと同じ長さで、その厚みが鏡面板３６の切欠き凹部３６ｃの深さとほぼ同じ大きさで形成されている。
【００５９】
これにより、放音蓋４０は、図４および図５に示すように、複数の第２ヒンジ部４１を中心に鏡面板３６に対して回転することにより、鏡面板３６の切欠き凹部３６ｃ内に配置されると共に、鏡面板３６に対して傾いた際に切欠き凹部３６ｃ内から出没可能に突出するように構成されている。すなわち、この放音蓋４０は、鏡面板３６が下側天板３７上に傾いて起立した状態で、複数の第２ヒンジ部４１を中心に回転して下側天板３７上に配置された際に、下側天板３７の複数の放音孔４２を開閉可能に塞ぐように構成されている。
【００６０】
この場合、複数の放音孔４２は、図４〜図６に示すように、放音蓋４０が複数の第２ヒンジ部４１を中心に回転して下側天板３７上に配置された際に、放音蓋４０が対応する下側天板３７の領域内に設けられている。すなわち、これら複数の放音孔４２は、図６に示すように、鍵配列方向の長さが長いスリット状の孔であり、下側天板３７の鍵配列方向に沿って複数設けられている。
【００６１】
ところで、鏡面板３６と下側天板３７とを連結する複数の第１ヒンジ部３９それぞれは、図４および図５に示すように、下側天板３７に固定される天板固定部３９ａと、鏡面板３６の切欠き凹部３６ｃ内に固定された鏡面固定部３９ｂと、これら天板固定部３９ａおよび鏡面固定部３９ｂに対して摩擦力やばね力などによって所定の負荷を付与した状態で、その両方を回転可能に連結する連結軸部３９ｃと、を有している。
【００６２】
これにより、第１ヒンジ部３９は、第１実施形態のヒンジ部３１と同様、連結軸部３９ｃによって天板固定部３９ａおよび鏡面固定部３９ｂに対して所定の負荷が付与されていることにより、下側天板３７に対して鏡面板３６を任意の角度に傾けた状態で保持するように構成されている。この場合、複数の第１ヒンジ部３９は、図６に示すように、鏡面板３６における鍵盤部７の鍵配列方向の両端部およびその中間部に位置する複数箇所に同一軸上でそれぞれ設けられている。
【００６３】
また、放音蓋４０と鏡面板３６とを連結する複数の第２ヒンジ部４１それぞれは、図４および図５に示すように、鏡面板３６の切欠き凹部３６ｃ内に固定された鏡面固定部４１ａと、放音蓋４０に固定された放音固定部４１ｂと、これら鏡面固定部４１ａおよび放音固定部４１ｂに対して摩擦力やばね力などによって所定の負荷を付与した状態で、その両方を回転可能に連結する連結軸部４１ｃと、を有している。
【００６４】
これにより、第２ヒンジ部４１は、第１実施形態のヒンジ部３１および第１ヒンジ部３９と同様、連結軸部４１ｃによって鏡面固定部４１ａおよび放音固定部４１ｂに対して所定の負荷が付与されていることにより、下側天板３６および鏡面板３６に対して放音蓋４０を独立させた状態で任意の角度に傾けた状態で保持するように構成されている。
【００６５】
この場合、複数の第２ヒンジ部４１は、図６に示すように、第１ヒンジ部３９と異なる複数の箇所に設けられている。すなわち、これら複数の第２ヒンジ部４１は、放音蓋４０における鍵盤部７の鍵配列方向の両端部およびその中間部に位置する複数箇所に同一軸上でそれぞれ設けられている。
【００６６】
また、楽器ケース１は、図４に示すように、その内部に収納された鍵盤蓋１３の前蓋１５と下側天板３７との間に放音路４３を形成するために、一対の側板５の後部側の高さが第１実施形態よりも少し高く形成されている。このため、これら一対の側板５の前後方向におけるほぼ中間部には、上前板４４が設けられている。この上前板４４は、その上端部が下側天板３７の前端面に配置され、下端部がコンソールパネル１２の上方で、かつ鍵盤蓋１３の開閉軌跡の上側に位置した状態で、一対の側板５間に設けられている。
【００６７】
次に、この第２実施形態の電子鍵盤楽器の作用について説明する。
この電子鍵盤楽器で演奏する場合には、第１実施形態と同様、鍵盤蓋１３を楽器ケース１内に収納する。このときにも、鍵盤蓋１３の前蓋１５の前端部を持ち上げて後方に押す。すると、前蓋１５が蓋ガイド部１４のガイドレール部１８にガイドされて楽器ケース１の後部側に向けて移動し、下側天板３７に対応した状態で上前板４２の下側に配置される。この場合には、下側天板３７と前蓋１５との間に放音路４３が形成される。
【００６８】
これと同時に、後蓋１６が蝶番１７を中心に折れ曲がりながら、後蓋１６の後端部が蓋ガイド部１４のガイド部材１９にガイドされて鍵盤部７とスピーカ１０との間に配置される。これにより、鍵盤蓋１３が楽器ケース１内に収納され、鍵盤部７が楽器ケース１の前部上側に露呈する。このときにも、鍵盤部７の後部上側に位置するコンソールパネル１２が楽器ケース１の前側に向けて露呈する。
【００６９】
そして、譜面台２８に譜面２９を立て掛け、鏡面板３６を回転させて所定の角度に傾ける。このときには、複数の第１ヒンジ部３９を中心に鏡面板３６を回転させると共に、複数の第２ヒンジ部４１を中心に放音蓋４０を鏡面板３６と共に回転させて、鏡面板３６の傾き角度を調整する。すなわち、鏡面板３６の鏡面部３６ｂに鍵盤部７が映り、この映った鍵盤部７が演奏者から見やすい角度になるように、鏡面板３６を傾ける。
【００７０】
このように鏡面板３６の傾き角度が調整された際には、放音蓋４０が鏡面板３６の切欠き凹部３６ｃ内に配置された状態で、放音蓋４０が複数の第２ヒンジ部４１によって保持されると共に、鏡面板３６の鏡面部３６ｂに鍵盤部７が映り、この映った鍵盤部７が演奏者から見える状態で、鏡面板３６が複数の第１ヒンジ部３９によって、調整された傾斜角度で保持される。
【００７１】
この状態で、演奏者が譜面２９を見ながら鍵盤部７の各鍵９を押鍵操作して演奏する際には、第１実施形態と同様、演奏者が鍵盤部７を直接見ずに、鏡面板３６の鏡面部３６ｂに映った鍵盤部７を見ながら演奏することができる。このときにも、鏡面板３６が譜面２９の下側に接近して配置されているので、鏡面板３６に映った鍵盤部７と譜面２９とを演奏者が見る際に、演奏者の視線の角度範囲が小さくなり、演奏者の視線の動きを小さく抑えることができ、これにより良好に演奏することができる。
【００７２】
すなわち、このときにも、第１実施形態と同様、演奏者が演奏中に鍵盤部７を直接見る必要がなく、譜面２９を見るときに、鏡面板３６の鏡面部３６ｂに映った鍵盤部７を見ることができるので、演奏者の視線の動きが小さく、鏡面板３６の鏡面部３６ｂに映った鍵盤部７と譜面２９とをほぼ同時に見ることができ、これにより初心者が演奏を中断せずに、良好に演奏することができる。
【００７３】
この場合にも、鏡面板３６が譜面台２８の前側に配置されていても、譜面台２８の譜面受け部２８ｂが鏡面板３６の上部側に位置しているので、譜面台２８に立て掛けられた譜面２９が鏡面板３６の上側に配置される。このため、譜面２９が鏡面板３６に遮られることがないので、演奏者が譜面２９を良好に見ることができ、これによっても良好に演奏することができる。
【００７４】
この状態では、放音蓋４０が複数の第２ヒンジ部４１を中心に鏡面板３６と共に回転するので、下側天板３７に設けられた複数の放音孔４２が開放される。このため、スピーカ１０で放音された楽音のうち、高音側の楽音が底板２の放音孔２ａから放音されると共に、低音側の楽音が下側天板３７と前蓋１５との間の放音路４３を経て下側天板３７の複数の放音孔４２から放音される。
【００７５】
このときには、複数の放音孔４２から放音される楽音が鏡面板３６や譜面台２８に遮られることがないので、複数の放音孔４２から楽器ケース１の前側に向けて良好に放音される。また、これら複数の放音孔４２から放音された楽音が放音蓋４０および鏡面板３６によって演奏者側に向けて反響させる。これにより、スピーカ１０で放音された楽音を演奏者が良好に聴くことができる。
【００７６】
この場合、第２ヒンジ部４１を中心に放音蓋４０を鏡面板３６に対して回転させて、放音蓋４０の傾きを変えると、この放音蓋４０の傾きに応じて下側天板３７の複数の放音孔４２から放音された楽音の反響方向を変えることができ、これにより放音された楽音の指向性を高めることができる。また、複数の第２ヒンジ部４１を中心に放音蓋４０を鏡面板３６に対して回転させて、放音蓋４０を下側天板３７上に配置した際には、放音蓋４０によって複数の放音孔４２を塞ぐことができる。これにより、スピーカ１０から放音された楽音の音質を変えることができる。
【００７７】
このように、この第２実施形態の電子鍵盤楽器によれば、第１実施形態と同様、譜面台２８および譜面２９の影響を受けずに、鍵盤部７を直接見なくても、鏡面板３６によって鍵盤部７を良好に視認することができるほか、鏡面板３６の前側に位置する楽器ケース１の上部に位置する下側天板３７に、複数の放音孔４２が設けられていることにより、スピーカ１０で放音された楽音を複数の放音孔４２から演奏者に向けて放音させることができる。
【００７８】
すなわち、複数の放音孔４２は、鏡面板３６が回転して楽器ケースの下側天板３７上に配置された際に、鏡面板３６によって覆われる下側天板３７の複数箇所に設けられているので、下側天板３７上に鏡面板３６を傾けて起立させることにより、複数の放音孔４２を開放させることができ、これによりスピーカ１０で放音された楽音を複数の放音孔４２から演奏者に向けて放音させることができる。
【００７９】
この場合、楽器ケース１は、その内部に収納された鍵盤蓋１３の前蓋１５と下側天板３７との間に放音路４３を形成するために、一対の側板５の後部側の高さが第１実施形態よりも少し高く形成されており、これら一対の側板５の前後方向におけるほぼ中間部に、上前板４４が設けられていることにより、スピーカ１０で放音された楽音を鍵盤蓋１３の前蓋１５と下側天板３７との間に形成された放音路４３によって下側天板３７の複数の放音孔４２から良好に放音させることができる。
【００８０】
また、この電子鍵盤楽器では、鏡面板３６の前面下部に、複数の放音孔４２を開閉可能に塞ぐ放音蓋４０が複数の第２ヒンジ部４１によって回転可能に取り付けられていることにより、鏡面板３６に映った鍵盤部７を演奏者から見るように、鏡面板３６を下側天板３７上に傾けて起立させた状態で、放音蓋４０を鏡面板３６に対して回転させて、下側天板３７の複数の放音孔４２を開閉可能に塞ぐことができると共に、放音蓋４０の傾きを調整することにより、複数の放音孔４２から放音される楽音の反響方向を変えることができる。
【００８１】
この場合、複数の第１ヒンジ部３９それぞれは、下側天板３７に固定される天板固定部３９ａと、鏡面板３６に固定された鏡面固定部３９ｂと、これら天板固定部３９ａおよび鏡面固定部３９ｂに対して所定の負荷を付与した状態で、その両方を回転可能に連結する連結軸部３９ｃと、を有しているので、下側天板３６に対して鏡面板３６を任意の角度に傾けた状態で保持することができる。
【００８２】
また、複数の第２ヒンジ部３９それぞれは、鏡面板３６に固定された鏡面個体部４１ａと、放音蓋４０に固定された放音固定部４１ｂと、これら鏡面固定部４１ａおよび放音固定部４１ｂに対して所定の負荷を付与した状態で、その両方を回転可能に連結する連結軸部４１ｃと、を有しているので、下側天板３６と鏡面板３６とに対して放音蓋４０を独立した状態で任意の角度に傾けた状態で保持することができる。
【００８３】
なお、上述した第２実施形態では、鏡面板３６に回転可能に取り付けられた１つの放音蓋４０によって、下側天板３７に設けられた複数の放音孔４２を開閉可能に塞ぐように構成した場合について述べたが、これに限らず、例えば下側天板３７に設けられた複数の放音孔４２にそれぞれ対応する複数の放音蓋を鏡面板３６に回転可能に取り付けた構成であっても良い。このように構成すれば、複数の放音孔４２からの放音量をきめ細かく調整することができる。
【００８４】
また、上述した第１、第２の実施形態では、鏡面板３０、３６が鍵盤部７の鍵配列方向に沿って長い平板状に形成されている場合について述べたが、これに限らず、例えば鏡面板を鍵盤部７の鍵配列方向に沿って凹曲面状に緩やかに湾曲する湾曲板状に形成しても良い。このように構成すれば、凹曲面状に緩やかに湾曲した鏡面板によって鍵盤部７の両側を演奏者から見やすくなるように映すことができる。
【００８５】
また、上述した第１、第２の実施形態では、鏡面板３０、３６が可動板３０ａと鏡面部３０ｂとを備えている場合について述べたが、これに限られず、鏡そのものでも良い。 
【００８６】
さらに、上述した第１、第２の実施形態では、スピーカ１０を備えた電子鍵盤楽器に適用した場合について述べたが、必ずしも電子鍵盤楽器である必要はなく、例えばアコ―ステイックピアノにも適用することができる。
【００８７】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００８８】
（付記）
請求項１に記載の発明は、鍵盤部と、譜面台と、演奏者から前記鍵盤部が反射して映って見える位置で且つ前記譜面台に対して前記鍵盤部よりも近い位置に配置されている鏡と、を備えていることを特徴とする鍵盤楽器である。
【００８９】
請求項２に記載の発明は、請求項１に記載の鍵盤楽器において、前記鍵盤部が上方に露出して設けられた楽器ケースを備え、前記鏡は、第１のヒンジ部によって前記楽器ケースの前後方向に起立横倒可能に当該楽器ケースに取り付けられていることを特徴とする鍵盤楽器である。
【００９０】
請求項３に記載の発明は、請求項１に記載の鍵盤楽器において、前記鏡の下部に位置する前記楽器ケースの上部には、前記鏡が前記鍵盤側に傾いた際に当該鏡によって覆われる放音孔が設けられていることを特徴とする鍵盤楽器である。
【００９１】
請求項４に記載の発明は、請求項３に記載の鍵盤楽器において、前記鏡には、前記放音孔を塞ぐ放音蓋が第２のヒンジ部によって回転可能に取り付けられ、当該鏡の下部には当該放音蓋を収納する切欠き凹部が設けられていることを特徴とする鍵盤楽器である。
【００９２】
請求項５に記載の発明は、請求項１〜請求項４のいずれかに記載の鍵盤楽器において、前記鏡は、前記鍵盤部側に傾いて起立した際に、当該鍵盤部を当該鏡に写す位置であって、かつ前記譜面台に立てられた譜面を遮らない位置に設けられていることを特徴とする鍵盤楽器である。
【００９３】
請求項６に記載の発明は、請求項１〜請求項５のいずれかに記載の鍵盤楽器において、前記鏡は、鏡面板と鏡面部を備えることを特徴とする鍵盤楽器である。
【符号の説明】
【００９４】
１  楽器ケース
６、３５  天板
７  鍵盤部
９  鍵
１０  スピーカ
１３  鍵盤蓋
１４  蓋ガイド部
１５  前蓋
１６  後蓋
１７  蝶番
２８  譜面台
２８ａ  譜面立て部
２８ｂ  譜面受け部
２９  譜面
３０、３６  鏡面板
３０ａ、３６ａ  可動板
３０ｂ、３６ｂ  鏡面部
３１  ヒンジ部
３７  下側鍵盤
３８  上側天板
３９  第１ヒンジ部
４０  放音蓋
４１  第２ヒンジ部
４２  放音孔
４３  放音路
【図１】
0006548001.tif 000002
【図２】
0006548001.tif 000003
【図３】
0006548001.tif 000004
【図４】
0006548001.tif 000005
【図５】
0006548001.tif 000006
【図６】
0006548001.tif 000007